(57)【要約】【課題】放射線治療での放射線照射区域を立案する為の立案用Ｘ線透視画像の視野範囲を適切な形で広げる。【解決手段】この発明の放射線治療計画装置は、画像像表示モニタ６に表示される立案用Ｘ線透視画像が、画像のゆがみを伴わないＦＰＤ２により撮影された撮影中透視画像ＰＡに既撮影透視画像ＰＢが継ぎ足された拡大透視画像Ｐであるので、立案用Ｘ線透視画像の視野範囲が継ぎ足された既撮影透視画像ＰＢの分だけ広がる。又、立案用Ｘ線透視画像では重畳表示される境界ラインＰＬによって両透視画像ＰＡ，ＰＢの境が一目で識別できるので、画像表示モニタ６の画面に撮影中透視画像ＰＡと既撮影透視画像ＰＢが接続状態で同時表示されていても、既撮影透視画像ＰＢが立案用Ｘ線透視画像の観察の妨げとなることはない。よって、立案用Ｘ線透視画像の視野範囲を適切な形で広げることができる。【選択図】  図２
2004337423.tif 000002
【特許請求の範囲】
【請求項１】
被検体にＸ線ビームを照射するＸ線管と透過Ｘ線像を検出するＸ線検出器とを備え、Ｘ線管による被検体へのＸ線照射に伴ってＸ線検出器から出力される透過Ｘ線検出信号に基づき、放射線治療対象の被検体における放射線照射領域を放射線治療に先立って予め立案計画する為の立案用Ｘ線透視画像が画像表示モニタに映し出されるように構成された放射線治療計画装置において、前記Ｘ線検出器としてフラットパネル型Ｘ線検出器が配備されていると共に、立案用Ｘ線透視画像として現在撮影中のＸ線透視画像（撮影中透視画像）に既撮影のＸ線透視画像（既撮影透視画像）の一部または全部を撮影中透視画像と既撮影透視画像が重複する領域は既撮影透視画像の方をカットして継ぎ足した大視野透視画像を撮影中透視画像と既撮影透視画像の境界を示す境界表示指標と一緒に画像表示モニタの画面に映し出す大視野透視画像表示手段を備えていることを特徴とする放射線治療計画装置。
【発明の詳細な説明】
【０００１】
【発明の属する技術分野】
この発明は、例えばライナックと呼ばれる放射線照射装置を用いて被検体の体内の関心部位（悪性腫瘍等）に放射線を照射して治療をおこなう放射線治療対象の被検体における放射線照射領域を放射線治療に先立って予め立案計画する為の立案用Ｘ線透視画像が画像表示モニタに表示されるように構成された放射線治療計画装置に係り、特に画像表示モニタの画面に映し出される立案用Ｘ線透視画像の視野範囲を広げるための技術に関する。
【０００２】
【従来の技術】
従来、例えばライナックと呼ばれる放射線照射装置（図示省略）を用い、被検体（患者）の関心部位（悪性腫瘍等）に放射線を体外から照射して治療する放射線治療が行われている。この放射線治療の場合、被検体における放射線照射領域を予め放射線治療に先立って予め立案計画する。即ち、被検体Ｍの関心部位の状況（病変部の状態）に見合った放射線照射領域を予め決定しておいて、実際の放射線を実施する時に決定した放射線照射領域だけに放射線を照射するという治療プロセスになっている。つまり、要照射領域の外の健常部分に放射線が当たると正常な組織が損なわれるし、反対に要照射領域の一部に放射線が当たらなければ期待した照射効果が得られないので、放射線が要照射領域に過不足なく照射されるように放射線照射領域を予め決定する必要があるのである。
そして、この放射線照射領域の立案計画作業は、普通、以下に述べるように、放射線照射装置とは別の放射線治療計画装置を使って行われる。つまり、放射線照射領域の立案計画はオフラインで行われることが多いのである。
【０００３】
従来の放射線治療計画装置は、図１０に示すように、被検体Ｍにコーン状Ｘ線ビームを照射するＸ線管５１と被検体Ｍからの透過Ｘ線像を検出するＸ線検出器としてのイメージインテンシファイア（Ｉ・Ｉ管）５２とが被検体Ｍを挟んで対向配置状態で配備されているガントリ５３と、ガントリ５３の手前に被検体Ｍを載置する天板５４が天板上下方向の昇降移動および天板長手方向（被検体Ｍの体軸Ｚ方向）と天板短手方向（被検体Ｍの体軸Ｚ方向と垂直な方向）の水平移動が可能なようにして配備された寝台装置５５とを備えていて、Ｘ線管５１による被検体ＭへのＸ線照射に伴ってＩ・Ｉ管５２から出力される透過Ｘ線検出信号に基づき、後段に配設された画像表示モニタ（図示省略）の画面に立案用Ｘ線透視画像が映し出されるように構成されているのに加え、天板５４の下に組み込まれているフィルム撮影機構（図示省略）によりＸ線フィルム撮影がおこなえるように構成されている。
【０００４】
放射線治療計画装置を用いて放射線照射領域を立案する場合、計画立案者は画像表示モニタの画面に映し出された立案用Ｘ線透視画像を観察しながら、放射線照射領域を決定する。計画立案者は放射線照射領域が決定できた時点でＸ線フィルム撮影をおこなうと共に、撮影したＸ線フィルム写真の上に放射線照射領域を示すラインを引く等して放射線照射領域を明記すれば、治療計画の立案作業は完了となる。
そして、放射線治療計画装置で作成されたＸ線フィルム写真は、放射線照射装置のオペレータへ回送されることになる。放射線照射装置のオペレータは、放射線照射領域が明記されたＸ線フィルム写真を参照しながら、被検体Ｍの関心部位（悪性腫瘍等）に放射線を体外から照射して治療を施す。
【０００５】
【発明が解決しようとする課題】
しかしながら、Ｉ・Ｉ管５２をＸ線検出器としてＸ線透視撮影をおこなう従来の放射線治療計画装置は、画像表示モニタの画面に映し出される立案用Ｘ線透視画像の視野範囲が狭いという問題がある。
画像表示モニタの画面には現在撮影中のＸ線透視画像しか表示されないので、立案用Ｘ線透視画像の視野範囲はＩ・Ｉ管５２のＸ線検出面のサイズによって決まることになる。しかし、Ｉ・Ｉ管５２のＸ線検出面のサイズは余り大きくないので、必然的に立案用Ｘ線透視画像の視野範囲が狭くならざるを得ない。Ｉ・Ｉ管５２のＸ線検出面のサイズを大きくすれば、立案用Ｘ線透視画像の視野範囲が広くなる勘定になるが、実際にＩ・Ｉ管５２のＸ線検出面のサイズを大きくしても、Ｘ線透視画像の周縁部分ではＩ．Ｉ．管の受像面の歪みに起因する画像のゆがみが大きくなってしまい、Ｉ・Ｉ管５２のＸ線検出面の有効サイズは大きくならないので、結局、Ｉ・Ｉ管５２のＸ線検出面のサイズを大きくすることによって、画像表示モニタの画面に映し出される立案用Ｘ線透視画像の視野範囲を広げることはできない。
【０００６】
立案用Ｘ線透視画像の視野範囲が狭い場合、被検体Ｍの関心部位を十分に観察するには、Ｉ・Ｉ管５２を水平方向に移動させることにより撮影位置を変更し視野範囲の異なる立案用Ｘ線透視画像を画像表示モニタの画面に映し出す操作を何度も繰り返す必要があるので、いきおい立案作業に長時間を要することになって、立案作業の能率が良くないだけでなく、被検体Ｍの負担も大きい。
【０００７】
この発明は、上記の事情に鑑み、放射線治療対象の被検体における放射線照射領域を立案する為の立案用Ｘ線透視画像の視野範囲を適切な形で広くすることができる放射線治療計画装置を提供することを目的とする。
【０００８】
【課題を解決するための手段】
この発明は、このような目的を達成するため、次のような構成をとる。
請求項１に記載の放射線治療計画装置は、被検体にＸ線ビームを照射するＸ線管と透過Ｘ線像を検出するＸ線検出器とを備え、Ｘ線管による被検体へのＸ線照射に伴ってＸ線検出器から出力される透過Ｘ線検出信号に基づき、放射線治療対象の被検体における放射線照射領域を放射線治療に先立って予め立案計画する為の立案用Ｘ線透視画像が画像表示モニタに映し出されるように構成された放射線治療計画装置において、前記Ｘ線検出器としてフラットパネル型Ｘ線検出器が配備されていると共に、立案用Ｘ線透視画像として現在撮影中のＸ線透視画像（撮影中透視画像）に既撮影のＸ線透視画像（既撮影透視画像）の一部または全部を撮影中透視画像と既撮影透視画像が重複する領域は既撮影透視画像の方をカットして継ぎ足した大視野透視画像を撮影中透視画像と既撮影透視画像の境界を示す境界表示指標と一緒に画像表示モニタの画面に映し出す大視野透視画像表示手段を備えていることを特徴とするものである。
【０００９】
（作用・効果）請求項１に記載の放射線治療計画装置を用いて、放射線治療対象の被検体における放射線照射領域を放射線治療に先立って予め立案計画する場合、Ｘ線管による被検体へのＸ線照射に伴ってＸ線検出器であるフラットパネル型Ｘ線検出器から出力される透過Ｘ線検出信号に基づき画像表示モニタに立案用Ｘ線透視画像が映し出されるが、その際、請求項１の発明の放射線治療計画装置では、大視野透視画像表示手段が、現在撮影中のＸ線透視画像（以下、適宜「撮影中透視画像」と略記）に既撮影のＸ線透視画像（以下、適宜「既撮影透視画像」と略記）の一部または全部を撮影中透視画像と既撮影透視画像が重複する領域は既撮影透視画像の方をカットして継ぎ足した大視野透視画像を立案用Ｘ線透視画像として、撮影中透視画像と既撮影透視画像の境界を示す境界表示指標と一緒に画像表示モニタの画面に映し出す。計画立案者は画像表示モニタの画面に映し出された立案用Ｘ線透視画像を観察しながら、放射線治療対象の被検体における放射線照射領域を決定してゆく。
【００１０】
請求項１の発明の放射線治療計画装置によれば、画像表示モニタの画面に映し出される立案用Ｘ線透視画像が撮影中透視画像に既撮影透視画像の一部または全部が継ぎ足された大視野透視画像であると共に、フラットパネル型Ｘ線検出器の場合、受像面の歪みを全く伴わず、大視野透視画像には画像のゆがみが生じないので、立案用Ｘ線透視画像の視野範囲は、撮影中透視画像に継ぎ足された既撮影透視画像の一部または全部の分の視野範囲だけ、きっちり広くなることになる。Ｘ線検出器がイメージインテンシファイアの場合は、大視野透視画像にはＩ．Ｉ．管の受像面の歪みに起因する画像のゆがみがあるので、撮影中透視画像に既撮影透視画像を継ぎ足しても立案用Ｘ線透視画像の視野範囲が広くなったことにはならない。
【００１１】
また、立案用Ｘ線透視画像では一緒に映し出される境界表示指標によって撮影中透視画像の領域と既撮影透視画像の領域が一目で認識できるので、画像表示モニタの画面に撮影中透視画像と既撮影透視画像とが接続状態で同時表示されていても、既撮影透視画像が立案用Ｘ線透視画像の観察の妨げとなることはない。
よって、請求項１に記載の放射線治療計画装置によれば、放射線治療対象の被検体における放射線照射領域を立案する為の立案用Ｘ線透視画像の視野範囲を適切な形で広げることができる。
【００１２】
【発明の実施の形態】
続いて、この発明の一実施例を図面を参照しながら説明する。図１は実施例に係る放射線治療計画装置の全体構成を示すブロック図である。
【００１３】
実施例の放射線治療計画装置は、図１に示すように、被検体Ｍにコーン状のＸ線ビームを照射するＸ線管１と被検体Ｍからの透過Ｘ線像を検出するＸ線検出器としてのフラットパネル型Ｘ線検出器（以下、適宜「ＦＰＤ」と略記）２とが、被検体Ｍを挟んで対向配置態で配備されているガントリ３と、ガントリ３の手前に被検体Ｍを載置する天板４が天板長手方向（被検体Ｍの体軸Ｚ方向）と天板短手方向（被検体Ｍの体軸Ｚ方向と垂直なＸ方向）の水平移動が可能なようにして配備された寝台装置５とを備え、詳しくは後述するように、Ｘ線管１による被検体ＭへのＸ線照射に伴ってＦＰＤ２から出力される透過Ｘ線検出信号に基づき、後段の画像表示モニタ６に放射線治療対象の被検体における放射線照射領域を放射線治療に先立って予め立案計画する為の立案用Ｘ線透視画像が映し出されるように構成されている。
【００１４】
Ｘ線管１とＦＰＤ２は、標準配置状態でＸ線管１の焦点とＦＰＤ２のＸ線検出面の中心を結ぶＸ線軸ＸＡが装置のアイソセンター（機械的中心）ＭＣを通るように対向配置されていると共に、Ｘ線管１とＦＰＤ２が回転駆動機構７により対向配置状態を維持したままアイソセンターＭＣを通る水平軸を回転軸として回転できるように構成されている。つまり、回転駆動機構７でＸ線管１とＦＰＤ２を水平軸の周りを回転させることにより、Ｘ線管１によるＸ線ビームの照射方向を変化させて撮影角度（撮影方向）が変えられるのである。
【００１５】
Ｘ線管１は高圧電源（図示省略）を含む照射制御部１Ａの制御を受けてコーン状のＸ線ビームを天板４の上の被検体Ｍに照射するように構成されている。
【００１６】
ＦＰＤ２は、極めて多数個の半導体素子等のＸ線検出素子が例えば縦１０２４×横１０２４程度のマトリックスでＸ線検出面にアレイ配列されたフラット形状の軽量な検出器である。このＦＰＤ２は受像面に歪みがないので、イメージインテンシファイアの場合には生じる受像面の歪みに起因する画像の周縁部のゆがみが無いＸ線検出器である。
また、ＦＰＤ２は、パネル移動機構８によってＸ線軸ＸＡの方向に往復移動可能であると共に、Ｘ線検出面の面方向に往復移動可能に構成されている。つまりＦＰＤ２をＸ線軸ＸＡの方向に移動させることによりＸ線検出面における透過Ｘ線像の拡大率を変化させることができ、またＦＰＤ２をＸ線検出面の面方向に移動させることにより撮影位置を変化させることができるのである。
【００１７】
一方、Ｘ線管１による被検体ＭへのＸ線照射に伴ってＦＰＤ２から出力される透過Ｘ線検出信号はデータ収集部（ＤＡＳ）９により収集されて後段の検出信号処理部１０に送り込まれる。検出信号処理部１０は透過Ｘ線検出信号をＸ線透視画像に仕上げて画像表示モニタ６へ送り出す。画像表示モニタ６では送られてくるＸ線透視画像が立案用Ｘ線透視画像として画面に映し出されるように構成されている。
【００１８】
他方、天板４は水平移動機構１１によって天板長手方向（被検体Ｍの体軸Ｚ方向）と天板短手方向（被検体Ｍの体軸Ｚ方向と垂直なＸ方向）にそれぞれ移動させられるように構成されている。つまり天板４を天板長手方向あるいは天板短手方向に移動させてＸ線管１に体面する被検体Ｍの位置を変えることによって撮影位置を変化させることができるのである。なお、天板４は水平移動機構（図示省略）によって天板上下方向（Ｙ方向）の昇降移動も可能となっており、被検体Ｍが乗り降りする際には天板４が下方に降ろされる。
【００１９】
さらに、実施例の放射線治療計画装置は、立案用Ｘ線透視画像の視野範囲を広げる為に、立案用Ｘ線透視画像として現在撮影中のＸ線透視画像（撮影中透視画像）ＰＡに既撮影のＸ線透視画像（既撮影透視画像）ＰＢの一部または全部を撮影中透視画像ＰＡと既撮影透視画像ＰＢが重複する領域は既撮影透視画像の方をカットして継ぎ足した大視野透視画像Ｐを両透視画像ＰＡ，ＰＢの境界を示す境界表示指標と一緒に画像表示モニタ６の画面に映し出す大視野透視画像表示部１２を備えている。より具体的には、実施例装置の場合、大視野透視画像表示部１２によって、例えば、図２に示すように、撮影中透視画像ＰＡに既撮影透視画像ＰＢが継ぎ足された大視野透視画像Ｐを撮影中透視画像ＰＡと既撮影透視画像ＰＢの境界を示す境界表示指標である境界ラインＰＬと一緒に画像表示モニタ６の画面に映し出すことができるように構成されている。以下、大視野透視画像表示部１２の構成を具体的に説明する。
【００２０】
実施例装置の場合、大視野透視画像表示部１２は、図１に示すように、大視野透視画像データメモリ部１３と既撮影透視画像データメモリ部１４と、両メモリ部１３，１４の記憶動作をコントロールするメモリ制御部１５と、境界ライン表示部１６とからなる。
大視野透視画像データメモリ部１３は１枚の大視野透視画像Ｐの画像データ、すなわち、検出信号処理部１０からリアルタイムで送られてくる１枚の撮影中透視画像ＰＡと継ぎ足される既撮影透視画像ＰＢの必要部分の両方の画像データが記憶できるように構成されており、大視野透視画像データメモリ部１３では、検出信号処理部１０から撮影中透視画像ＰＡの新たな画像データが送られてくる毎にデータ更新動作がおこなわれるように構成されている。大視野透視画像データメモリ部１３に記憶されている大視野透視画像Ｐは、適時にメモリ制御部１５によって読み出されて画像表示モニタ６へ出力される。
【００２１】
既撮影透視画像データメモリ部１４は、撮影中透視画像ＰＡに継ぎ足す既撮影透視画像ＰＢの画像データを撮影位置データと一緒に記憶するように構成されている。実施例装置では、既撮影透視画像ＰＢの撮影位置データは、天板４の水平移動機構１１から送り出される天板４の天板長手方向の位置データおよび天板短手方向の位置データと、パネル移動機構８から送り出されてくるＦＰＤ２のＸ線軸ＸＡ方向の位置データおよびＦＰＤ２のＸ線検出面の面方向の位置データ等である。
【００２２】
また実施例装置の場合、既撮影透視画像データメモリ部１４に記憶する既撮影透視画像ＰＢは、計画立案者がマウスやキーボード等の入力機器類で構成される操作部１７により画像表示モニタ６の画面上で適当と思うものを指定する構成となっている。既撮影透視画像ＰＢの記憶枚数は特に制限はなく、操作部１７で指定する既撮影透視画像ＰＢはメモリがオーバーフローしない限り全て記憶される。但し、位置データが同じ既撮影透視画像ＰＢは記憶済として重複記憶しないように構成されている。
【００２３】
撮影中透視画像ＰＡの場合、図３に示すように、ＦＰＤ２の中心がＸ線軸ＸＡと一致する標準配置状態の時の撮影中透視画像ＰＡの中心が大視野透視画像Ｐの中心と一致すると共に、ＦＰＤ２がＸ線検出面の面方向沿いにＸ線軸ＸＡから離れるに従って離れる方向および距離に応じた距離だけ大視野透視画像Ｐ上での撮影中透視画像ＰＡの位置が変化するようにして撮影中透視画像ＰＡの画像データが大視野透視画像データメモリ部１３で記憶される。
【００２４】
したがって、ＦＰＤ２の中心がＸ線軸ＸＡと一致する標準配置状態にある時に、天板４だけを水平移動させて撮影位置を変える場合は、大視野透視画像Ｐ上での撮影中透視画像ＰＡの位置は変わらず、撮影中透視画像ＰＡの表示内容だけが変化する。例えば、天板４を天板長手方向に移動すると、大視野透視画像Ｐは図４に示す画像から、撮影中透視画像ＰＡの表示内容の違う図５に示す画像に変化する。
また、天板４を停止したまま、ＦＰＤ２をＸ線検出面の面方向沿いに移動させて撮影位置を変える場合は、大視野透視画像Ｐ上での撮影中透視画像ＰＡの位置も、撮影中透視画像ＰＡの表示内容も同時に変化する。ＦＰＤ２を被検体Ｍの体軸Ｚ方向に沿って頭側へ移動させると、図６に示すように、大視野透視画像Ｐ上での撮影中透視画像ＰＡの位置が上方に移り、撮影中透視画像ＰＡの表示内容もより被検体Ｍの頭側の像に変る。ＦＰＤ２を被検体Ｍの体軸Ｚ方向と体軸Ｚ方向に垂直なＸ方向に沿って被検体Ｍの斜め足側へ移動させると、図７に示すように、大視野透視画像Ｐ上での撮影中透視画像ＰＡの位置が斜め下方に移ると同時に、撮影中透視画像ＰＡの表示内容も斜め足側の像へと変化する。
【００２５】
既撮影透視画像ＰＢの場合、既撮影透視画像ＰＢと一緒に記憶されている位置データと撮影中透視画像ＰＡおよび既撮影透視画像ＰＢのサイズデータに基づき大視野透視画像データメモリ部１３の撮影中透視画像ＰＡの周りの画素のデータが既撮影透視画像ＰＢと撮影中透視画像ＰＡが重なる部分は既撮影透視画像ＰＢのデータがカットされるようにして抽出されて大視野透視画像データメモリ部１３へ記憶されることにより、撮影中透視画像ＰＡに既撮影透視画像ＰＢが旨く継ぎ合わされる構成となっている。なお、撮影中透視画像ＰＡが更新された際、更新の前後で撮影中透視画像ＰＡの撮影位置の変更がない場合は、視野範囲が同じであるので、既撮影透視画像ＰＢの画像データは特に更新する必要はないので、そのまま維持される。
また、既撮影透視画像ＰＢと撮影中透視画像ＰＡの間でＦＰＤ２のＸ線検出面における透過Ｘ線像の拡大率に起因する画像倍率の相違がある場合は、パネル移動機構８から送られてくるＦＰＤ２のＸ線軸ＸＡ方向の位置データに基づき、既撮影透視画像ＰＢの方の画像倍率を撮影中透視画像ＰＡに合わせて画像データを大視野透視画像データメモリ部１３へ記憶するようにする。
なお、上述した両データメモリ部１３，１４の記憶動作はメモリ制御部１５により厳密にコントロールされる。
【００２６】
さらに、実施例装置の場合、大視野透視画像データメモリ部１３において撮影中透視画像ＰＡの周縁にあたる画素は全て境界ライン表示部１６によって完全白レベル（又は完全黒レベル）とするデータが記憶されるように構成されている。即ち、撮影中透視画像ＰＡの周縁にあたる画素は境界ライン表示部１６によって全て完全白レベル表示（又は完全黒レベル表示）とするデータが記憶されるように構成されている結果、大視野透視画像Ｐでは撮影中透視画像ＰＡの周縁に位置する画素が全て完全白レベル表示（又は完全黒レベル表示）となって既撮影透視画像ＰＢとの境界を明瞭に示す境界ラインＰＬとして大視野透視画像Ｐの中に出現することとなる。
【００２７】
加えて、実施例装置では、操作部１７により拡大透視モードを設定した場合に大視野透視画像表示部１２が作動し、拡大透視モードが設定されない場合は、大視野透視画像表示部１２は作動せず、検出信号処理部１０から撮影中透視画像ＰＡが直に画像表示モニタ６へ送られ、撮影中透視画像ＰＡだけが立案用Ｘ線透視画像として画像表示モニタ６の画面いっぱいに表示される構成となっている。
【００２８】
なお、実施例装置の場合、上述したように、既撮影透視画像データメモリ部１４に記憶する既撮影透視画像ＰＢは、計画立案者が操作部１７により指定する構成であったが、以下のように、既撮影透視画像データメモリ部１４に記憶する既撮影透視画像ＰＢが撮影位置データに従って自動的に選別され記憶されるように構成されていてもよい。
例えば、撮影位置を逐次チェックし未記憶の撮影位置の既撮影透視画像ＰＢは全て拾い出して撮影位置データと一緒に記憶するように構成することができる。この場合も既撮影透視画像ＰＢの記憶枚数は特に制限はなく、操作部１７により指定した既撮影透視画像ＰＢはメモリがオーバーフローすると記憶の古いものが自動的に消去されて新規の既撮影透視画像ＰＢが記憶できるように構成される。但し、撮影位置が同じ既撮影透視画像ＰＢは記憶済として記憶しないように構成される。
そして、大視野透視画像データメモリ部１３において撮影中透視画像ＰＡの画像データが更新された際に、更新の前後で撮影中透視画像ＰＡの撮影位置の変更がある場合は、大視野透視画像Ｐにおける撮影中透視画像ＰＡの周辺部の画像データを撮影中透視画像ＰＡの撮影位置データと既撮影透視画像ＰＢの撮影位置データとに従って既撮影透視画像ＰＢから抽出・編集して大視野透視画像データメモリ部１３へ記憶して大視野透視画像Ｐを完成・出力するようにする。
【００２９】
さらに、実施例装置の場合、計画立案者が操作部１７により画像表示モニタ６の画面上で放射線照射領域を設定すると、図８に示すように、放射線照射領域設定部１８によって設定された放射線照射領域ＰＭが立案用Ｘ線透視画像に重畳表示されるように構成されている。また、放射線照射領域ＰＭが重畳表示された立案用Ｘ線透視画像は立案済みＸ線画像として、照射計画画像印刷部１９によりシートに印刷出力したり、立案用Ｘ線透視画像メモリ部２０によって記憶できるようにも構成されている。照射計画画像印刷部１９で印刷出力された立案済みＸ線画像や、照射計画画像メモリ部２０に記憶された立案済みＸ線画像は、この後、実際に放射線を照射する治療実行段階で参照されることになる。
また、主制御部２１は、操作部１７の入力操作やＸ線撮影の進行状況に応じて装置の各部に適時に指令やデータを送出し装置の動きを統括する役割を果たすものである。
【００３０】
続いて、以上に述べた構成を有する実施例の装置における立案用Ｘ線透視画像の視野範囲の拡大機能を図面を参照しながら説明する。図９は実施例装置における立案用Ｘ線透視画像の視野範囲拡大プロセスを示すフローチャートである。
以下では、被検体Ｍの体表面に位置合わせマーク（例えば金属チップ）を付けて天板４の上に被検体Ｍが載せられた後、天板４を移動させながら実施例装置に設けられた基準位置合わせ用の投光機（図示省略）を使って被検体Ｍの体表面の位置合わせマークを実施例装置のアイソセンタＭＣに合致させてから、既にＸ線透視撮影を開始した時点から説明する。なお、Ｘ線透視撮影の開始に伴って計画立案者は、画像表示モニタ６の画面上で立案用Ｘ線透視画像を観察するのと平行して、視野範囲の拡大が必要な既撮影透視画像ＰＢの指定を随時おこなう。また、操作部１７によって拡大透視モードが既に設定されているものとする。
【００３１】
〔ステップＳ１〕大視野透視画像データメモリ部１３において撮影中透視画像ＰＡの画像データが更新される際に撮影位置の変更の有り無しがメモリ制御部１５によりチェックされる。
撮影中透視画像ＰＡの撮影位置が変更されていなければ、次のステップＳ２に進む。撮影中透視画像ＰＡの撮影位置が変更されていれば、ステップＳ３へ飛ぶ。
【００３２】
〔ステップＳ２〕大視野透視画像データメモリ部１３において撮影中透視画像ＰＡの画像データが更新されると共にデータ更新後の大視野透視画像Ｐを立案用Ｘ線透視画像として画像表示モニタ６へ出力してから、直ちにステップ１へ戻る。
【００３３】
〔ステップＳ３〕撮影中透視画像ＰＡに継ぎ足す既撮影透視画像ＰＢの指定の有り無しがメモリ制御部１５によりチェックされる。
指定された既撮影透視画像ＰＢが無ければ、次のステップＳ４に進む。指定された既撮影透視画像ＰＢが有れば、ステップＳ５へ飛ぶ。
【００３４】
〔ステップＳ４〕大視野透視画像データメモリ部１３において撮影中透視画像ＰＡの画像データおよび境界ラインＰＬのデータとが更新されると共にデータ更新後の大視野透視画像Ｐを立案用Ｘ線透視画像として画像表示モニタ６へ出力してから、直ちにステップ１へ戻る。
【００３５】
〔ステップＳ５〕大視野透視画像データメモリ部１３において既撮影透視画像ＰＢの画像データが更新されると共に、撮影中透視画像ＰＡおよび境界ラインＰＬのデータが更新される。
【００３６】
〔ステップＳ６〕大視野透視画像データメモリ部１３における撮影中透視画像ＰＡと境界ラインＰＬおよび既撮影透視画像ＰＢの３者のデータが更新された大視野透視画像Ｐを立案用Ｘ線透視画像として画像表示モニタ６へ出力してから、直ちにステップ１へ戻る。
【００３７】
そして、Ｘ線透視撮影の継続と拡大透視モードの設定が続く限り、ステップＳ１〜Ｓ６のプロセスに従って撮影中透視画像ＰＡに既撮影透視画像ＰＢを継ぎ足した大視野透視画像Ｐが撮影中透視画像ＰＡと既撮影透視画像ＰＢの境界を示す境界表示指標である境界ラインＰＬと一緒に画像表示モニタ６の画面に映し出され、計画立案者の観察に供されることとなる。
【００３８】
以上に述べたように、実施例の放射線治療計画装置の場合、画像表示モニタ６の画面に映し出される立案用Ｘ線透視画像が撮影中透視画像ＰＡに既撮影透視画像ＰＢの一部または全部が継ぎ足された大視野透視画像Ｐであると共に、ＦＰＤ２の場合、受像面の歪みを全く伴わず、大視野透視画像Ｐには画像のゆがみが生じないので、立案用Ｘ線透視画像の視野範囲は、撮影中透視画像ＰＡに継ぎ足された既撮影透視画像ＰＢの一部または全部の分の視野範囲だけ、きっちり広くなる。
また、立案用Ｘ線透視画像では一緒に映し出される境界表示指標である境界ラインＰＬによって撮影中透視画像ＰＡの領域と既撮影透視画像ＰＢの領域が一目で識別できるので、画像表示モニタ６の画面に撮影中透視画像ＰＡと既撮影透視画像ＰＢとが接続状態で同時表示されていても、既撮影透視画像ＰＢが立案用Ｘ線透視画像の観察の妨げとなることはない。
したがって、実施例の放射線治療計画装置によれば、放射線治療対象の被検体Ｍにおける放射線照射領域を立案する為の立案用Ｘ線透視画像の視野範囲を適切な形で広げることができる。
【００３９】
この発明は、上記実施の形態に限られることはなく、下記のように変形実施することができる。
（１）実施例装置では、ＦＰＤ２がＸ線検出面の面方向に移動可能な構成であったが、ＦＰＤ２がＸ線検出面の面方向には移動不可でＸ線検出面の中心が常にＸ線軸ＸＡと一致している構成の装置を、変形例として挙げることができる。
【００４０】
（２）この発明の放射線治療計画装置が適用される放射線照射装置は、ライナックに限らない。
【００４１】
【発明の効果】
請求項１の発明の放射線治療計画装置の場合、画像表示モニタの画面に映し出される立案用Ｘ線透視画像が撮影中透視画像に既撮影透視画像の一部または全部が継ぎ足された大視野透視画像であると共に、フラットパネル型Ｘ線検出器の場合、受像面の歪みを全く伴わず、大視野透視画像には画像のゆがみが生じないので、立案用Ｘ線透視画像の視野範囲は、撮影中透視画像に継ぎ足された既撮影透視画像の一部または全部の分の視野範囲だけ、きっちり広くなる。
【００４２】
また、立案用Ｘ線透視画像では一緒に映し出される境界表示指標によって撮影中透視画像の領域と既撮影透視画像の領域が一目で認識できるので、画像表示モニタの画面に撮影中透視画像と既撮影透視画像とが接続状態で同時表示されていても、既撮影透視画像が立案用Ｘ線透視画像の観察の妨げとなることはない。
よって、請求項１の発明の放射線治療計画装置によれば、放射線治療対象の被検体における放射線照射領域を立案する為の立案用Ｘ線透視画像の視野範囲を適切なかたちで広くすることができる。
【図面の簡単な説明】
【図１】実施例に係る放射線治療計画装置の全体構成を示すブロック図である。
【図２】実施例装置で表示される大視野透視画像の一例を示す模式図である。
【図３】大視野透視画像における撮影中透視画像の位置を説明する為の模式図である。
【図４】大視野透視画像の中の撮影中透視画像の表示像の一例を示す模式図である。
【図５】ＦＰＤの位置変化に伴う大視野透視画像中の撮影中透視画像の表示像変化の一例を示す模式図である。
【図６】ＦＰＤの位置変化に伴う大視野透視画像中の撮影中透視画像の表示像変化の一例を示す模式図である。
【図７】ＦＰＤの位置変化に伴う大視野透視画像中の撮影中透視画像の表示像変化の他の例を示す模式図である。
【図８】放射線照射領域ＰＭが重畳表示された立案用Ｘ線透視画像の一例を示す模式図である。
【図９】実施例装置における立案用Ｘ線透視画像の視野範囲拡大プロセスを示すフローチャートである。
【図１０】従来の放射線治療計画装置の要部構成を示す概略図である。
【符号の説明】
１                …Ｘ線管
２                …フラットパネル型Ｘ線検出器（ＦＰＤ）
６                …画像表示モニタ
１２              …大視野透視画像表示部
１６              …境界ライン表示部
Ｍ                …被検体
Ｐ                …大視野透視画像
ＰＡ              …撮影中透視画像
ＰＢ              …既撮影透視画像
ＰＬ              …境界ライン（境界表示指標）
ＰＭ              …放射線照射領域
【図１】
2004337423.tif 000003
【図２】
2004337423.tif 000004
【図３】
2004337423.tif 000005
【図４】
2004337423.tif 000006
【図５】
2004337423.tif 000007
【図６】
2004337423.tif 000008
【図７】
2004337423.tif 000009
【図８】
2004337423.tif 000010
【図９】
2004337423.tif 000011
【図１０】
2004337423.tif 000012